(57)【要約】  半導体材料層の堆積プロセス及び除去プロセスのその場（ｉｎ−ｓｉｔｕ）較正のシステム及び方法が開示される。例えばめっき及び研磨などのプロセスを正確にモニタするために、それぞれ、１つ以上の較正ビア又は較正ポストを含むテスト構造の組が使用される。これらテスト構造フィーチャとプロダクトフィーチャとの間の既知の（例えば、実験的に決定された）関係が、ウエハ処理進捗のモニタリングを可能にする。処理サイクル中の（１つ以上の）較正フィーチャの光学的検査が、動的な処理条件の調節と、所望のプロダクトフィーチャ特性が達成された時点での正確な処理の停止とを可能にする。
2019512163.tif 000002
【特許請求の範囲】
【請求項１】
材料堆積プロセスをその場較正する方法であって、
基板上のフォトレジスト層内に形成されたプロダクトフィーチャ及び少なくとも第１の較正ビアの各々の中に略同じ堆積条件下で材料を堆積させる堆積ステップであり、前記第１の較正ビアは、前記プロダクトフィーチャ及び前記第１の較正ビアの双方の中に略同じ堆積条件下で前記材料が堆積されるときに、前記プロダクトフィーチャの中の前記材料の高さが選択高さに到達するのと略同じ堆積時間において前記第１の較正ビアの中の前記材料の高さが前記フォトレジスト層の高さを超えるような断面寸法を有する、堆積ステップと、
前記第１の較正ビアの中に堆積された前記材料の高さが前記フォトレジスト層の高さを超えたかを決定する高さ決定ステップと、
前記第１の較正ビアの中に堆積された前記材料の高さが前記フォトレジスト層の高さを超えた場合に、堆積プロセスを停止させるステップであり、それ以外の場合に、前記堆積ステップ及び前記高さ決定ステップを繰り返すステップと、
を有する方法。
【請求項２】
前記第１の較正ビアの中に堆積された前記材料の高さが前記フォトレジスト層の高さを超えたかを決定することは更に、前記第１の較正ビアの中に堆積された前記材料の高さが前記フォトレジスト層の厚さを超えた時を光学的に特定することを有する、請求項１に記載の方法。
【請求項３】
前記第１の較正ビアの中に堆積された前記材料の高さを光学的に特定することは、前記フォトレジスト層の高さにおける前記堆積された材料において平らでなくなる効果と、それによって形成されるフィーチャの寸法増大と、のうちの少なくとも一方を観察することを有する、請求項２に記載の方法。
【請求項４】
複数の更なる較正ビアについての更なる断面寸法を決定するステップであり、前記複数の更なる較正ビアは、前記第１の較正ビアとは異なる且つ互いに異なる寸法を有し、且つ、それぞれの較正ビアの各々内の前記材料の高さが、所与の堆積時間及び堆積条件において、前記プロダクトフィーチャ内の前記材料の高さよりも大きく、略同じ堆積条件下でそれぞれの較正ビアの中に堆積された材料が前記フォトレジスト層の高さを超える時に、前記プロダクトフィーチャ内に堆積される前記材料に関する既知の高さが指し示されるような寸法を有する、ステップと、
前記フォトレジスト層のテスト領域内に、決定された前記更なる断面寸法を有する前記更なる較正ビアを形成するステップと、
前記材料が前記更なる較正ビア内に堆積されて前記フォトレジスト層の高さを超えることの観察を通じて、前記プロダクトフィーチャ内に堆積された前記材料の高さをモニタリングするステップと、
を更に有する請求項１に記載の方法。
【請求項５】
前記第１の較正ビア及び前記更なる較正ビアは、光学的に区別可能であるように十分に離間される、請求項４に記載の方法。
【請求項６】
前記第１の較正ビアの脇に、前記更なる較正ビアが置かれる、請求項４に記載の方法。
【請求項７】
前記材料を堆積させることは金属めっきプロセスを有する、請求項１に記載の方法。
【請求項８】
堆積速度を変化させるフィールド効果を抑制するようにテスト領域がプロダクト領域から十分に離間される、請求項１に記載の方法。
【請求項９】
前記第１の較正ビアの中に堆積された前記材料の高さが前記フォトレジスト層の高さを超えていないと決定したことに応答して、前記堆積プロセスの処理条件を調節する、ことを更に有する請求項１に記載の方法。
【請求項１０】
基板を用意し、
前記基板上にフォトレジスト層を付与し、
前記フォトレジスト層のプロダクト領域内に、前記フォトレジスト層の高さを貫いて延在する前記プロダクトフィーチャを形成し、
前記第１の較正ビアの前記断面寸法を決定し、
前記プロダクト領域とは異なる前記フォトレジスト層のテスト領域内に、決定された前記断面寸法を持つ前記第１の較正ビアを形成する、
ことを更に有する請求項１に記載の方法。
【請求項１１】
半導体ウエハ上の堆積材料の高さをその場モニタリングするためのテスト構造体であって、
前記堆積材料の厚さを貫いて延在するプロダクトフィーチャを含んだ、前記堆積材料内のプロダクト領域と、
前記プロダクト領域とは異なる前記堆積材料内の較正領域と、
前記堆積材料の厚さを貫いて延在する少なくとも１つの較正ビアであり、当該少なくとも１つの較正ビアは、前記プロダクトフィーチャ及び当該少なくとも１つの較正ビアの中に略同じ堆積条件下で金属が堆積されるときに、前記プロダクトフィーチャ内に堆積される金属の所望高さが達成されるのと略同じ堆積時間において、当該少なくとも１つの較正ビア内の前記金属の高さが前記堆積材料の高さを超えるような断面寸法を有する、少なくとも１つの較正ビアと、
を有するテスト構造体。
【請求項１２】
ウエハ研磨プロセスのその場較正の方法であって、
基板のテスト領域に、異なる既知の高さの複数の較正フィーチャを形成するステップであり、前記既知の高さのうちの少なくとも１つは、堆積される材料層の所望の最終高さと略同じ高さである、ステップと、
前記基板のプロダクト領域に、プロダクトフィーチャを形成するステップと、
前記プロダクトフィーチャ及び前記複数の較正フィーチャの上に前記材料層を堆積させるステップであり、前記材料層の高さが、堆積される前記材料層の前記所望の最終高さ及び前記複数の較正フィーチャの高さよりも大きいように、且つ堆積された前記材料層を通じて前記較正フィーチャが視覚的に観察可能であるように、前記材料層を堆積させるステップと、
前記テスト領域及び前記プロダクト領域の前記材料層を略同じ研磨条件下で研磨するステップと、
前記較正フィーチャのうちの１つ以上についてのラフからスムースへの変化の観察を通じて、その高さまで前記材料層が研磨されたという高さを決定するステップであり、ラフからスムースへの特定の較正フィーチャの各変化が現れることが、該特定の較正フィーチャの前記既知の高さまでの前記材料層の高さの低下を指し示す、ステップと、
を有する方法。
【請求項１３】
前記決定された前記材料層の高さが前記所望の最終高さまで低下された時に研磨を停止させる、ことを更に有する請求項１２に記載の方法。
【請求項１４】
異なる既知の高さの複数の較正フィーチャを形成することは、
前記基板上のフォトレジスト内に、異なる断面寸法の対応する複数のビアを形成し、
前記複数のビアの何れかで過充填を生じさせることになるよりも短い堆積時間だけ、前記複数のビアの中に略同じ堆積条件下で材料を堆積させ、
前記フォトレジストを剥離し、且つ
前記複数の較正フィーチャの高さを光学的に測定する
ことを有する、請求項１２に記載の方法。
【請求項１５】
堆積される前記材料層は酸化物層を有する、請求項１２に記載の方法。
【請求項１６】
前記較正フィーチャ及び前記プロダクトフィーチャのうちの少なくとも一方はメタルポストを有する、請求項１２に記載の方法。
【請求項１７】
その高さまで前記材料層が研磨されたという高さを決定したことに応答して、前記研磨プロセスの処理条件を調節する、ことを更に有する請求項１２に記載の方法。
【請求項１８】
ウエハ研磨のその場モニタリングのためのテスト構造体であって、
プロダクト領域とテスト領域とを含んだ、或る高さを有する材料層であり、前記プロダクト領域は、その中にプロダクトフィーチャをパターン形成するためのものである、材料層と、
前記テスト領域内に形成され、且つ前記材料層の前記高さより下に埋め込まれた、異なる既知の高さの複数のテストフィーチャであり、当該テストフィーチャは、前記材料層の材料を通じて光学的に観察可能であり、それ故に、特定のテストフィーチャの頂面の露出が、ラフからスムースへの変化として観察可能であって、且つ該特定のテストフィーチャの前記既知の高さまで研磨してそれにより該特定のテストフィーチャの頂部を露出させたことに応答して、前記材料層の高さの対応する低下を指し示す、複数のテストフィーチャと、
を有するテスト構造体。
【発明の詳細な説明】
【技術分野】
【０００１】
本発明は、概して、集積回路製造の分野に関し、具体的には、ウエハの堆積（例えば、電気めっき）及び／又は薄化（例えば、化学機械研磨、ＣＭＰ）プロセスにおいて深さをモニタしてそのようなプロセスのエンドポイントを決定するためのテスト構造及び改善されたその場（ｉｎ−ｓｉｔｕ）直接フィードバックに関する。
【背景技術】
【０００２】
２つのシリコンウエハを共に接合して、例えば図１Ａに示すダイレクトボンドハイブリダイゼーション（direct  bond  hybridization；ＤＢＨ）構造４を含んだウエハ２などの、新たなウエハを形成するために、半導体ウエハボンディングプロセスが開発されてきた。ＤＢＨ処理は、アナログ及びデジタル集積回路６を含むものであるリードアウト（読み出し）集積回路（ＲＯＩＣ）８に積み重ねられた検出器ウエハ１４からなるフォーカルプレーン（焦点面）アレイの形成（ＳｉＰＩＮハイブリッドセンサをもたらす）に使用されることがある。検出器ウエハ１４と集積回路６との間に、メタル構造を封入する絶縁（例えば、酸化物）層１２を備えた、メタルコンタクト層１０及びメタルインターポーザ層（例えば、相互接続ポスト１６）を見出し得る。検出器ウエハ１４は、（１つ以上の）絶縁層１２に埋め込まれたメタル相互接続ポスト１６がインターポーザ接続を形成することを可能にする酸化物ボンディングによってＲＯＩＣ８に接合されることもある。
【０００３】
典型的な３Ｄ積層ウエハに関する更なる情報は、W．A．Radford等，“Third  Generation  FPA  Development  Status  at  Raytheon  Vision  Systems”，Infrared  Technology  and  Applications  XXXI，Proc.  of  SPIE，Vol.  5783（非特許文献１）、及び／又は、http://www.ziptronix.com/technologies/dbi/にて入手可能なＺｉｐｔｒｏｎｉｘ社（Ｔｅｓｓｅｒａ  Ｔｅｃｈｎｏｌｏｇｉｅｓ社の子会社)によって開発されたＤＢＩ（登録商標）プロセスに関連するデータシートに見出し得る。
図１Ｂ−１Ｄを参照するに、フォトレジスト層１３内に、めっきを用いて、例えば１つ以上の相互接続メタルポスト１６などのプロダクトフィーチャを堆積させることができ、その後、フォトレジストが剥離され、絶縁層１２が堆積される。従来のめっき浴製造者は、プロダクトフィーチャ（例えば、配線ライン、ビアなど）のサイズのバリエーションにかかわらず、基板全体にわたって合理的に良好なめっき高さ均一性を達成するように、自身のめっき浴を工学設計している。そうとはいえ、例えばメタルポスト１６’の高さｈｐなどのプロダクトフィーチャ高さには、堆積処理条件の変動／バラつき（例えば、電気めっきにおける電流分布のバラつき）に起因するバラつきが存在する。検出器ウエハ１４及びＲＯＩＣ８のそれぞれのポストの高さｈｐ及び絶縁層１２は、後続のウエハ積層処理におけるウエハボンディング中に適切な相互接続を可能にするために、非常に厳しい公差内で減じられる必要がある。
【０００４】
ＤＢＨ製造プロセスは、酸化物絶縁層１２に封入されたメタル（例えば、ニッケル）ポスト構造１６’の形成をもたらすリソグラフィ技術を含む。接合に先立ってメタルポストを露わにするために、各絶縁層１２が、例えば、当初高さｈ１（時点ｔ１）から所望の高さｈ２（時点ｔ２）まで、例えばＣＭＰなどのウエハ薄化プロセスを用いて薄化され得る。
【０００５】
埋め込まれたポスト１６’が（例えば図１Ｄに示すように）見えるようになるまで絶縁酸化物層１２から材料を除去して平坦化するために、ＣＭＰがよく使われる。図２を参照するに、ＣＭＰは典型的に、機械的作用と化学的作用との組み合わせにより、研磨スラリーを利用してウエハ２０の表面を平坦化する。一般に、ＣＭＰは、回転するキャリアヘッド２４上に真空装着され得るものである研磨パッド２２をウエハ２０に押し当てることを含む。ウエハ２０と研磨パッド２２とが接触すると、ウエハ２０の表面が機械的及び化学的に研磨される。ＣＭＰプロセスの重要な要素はエンドポイント検出である。ＣＭＰ中にウエハ厚を測定することに関するその場（ｉｎ−ｓｉｔｕ）直接フィードバックがなく、従来プロセスは一般に、ＣＭＰプロセスを完了するＣＭＰ速度及びタイミングを推定する。しかしながら、スラリー、パッド、又はウエハの化学的組成又は機械的構成における変動／バラつきが、所望の深さまで研磨するのに必要な時間の量を変化させ得る。
【０００６】
下に位置する回路（すなわち、酸化物及び金属の複数のメタルルーティング層）からの光学干渉のため、光干渉法は、ＣＭＰ薄化される絶縁層１２の実際の高さを測定することにｉｎ−ｓｉｔｕ使用されることができない。ＲＯＩＣ上での正確な光学的酸化物高さ測定は、典型的に、完成されたウエハ上で行われることができない。これは、後のウエハ処理実行のための処理パラメータの調節を可能にし得るが、ウエハ間バラつきを不具にはしない。ＣＭＰの材料除去速度がそのウエハについて予測されたものより大きい場合、過剰な材料が除去されることになり、層のオーバー研磨及びプロダクトの損失をもたらす。故に、予測不可能な研磨速度につながる処理上の問題は、その場で構造の厚さを決定する道を残さず、可能性として高くつく（例えば、＄５０ｋ／ウエハ）歩留まり損失をもたらす。
【０００７】
本実施形態は、上述の問題のうちの１つ以上を克服すること又は少なくともその影響を低減することに向けられた方法及び構造を提供する。
【先行技術文献】
【非特許文献】
【０００８】
【非特許文献１】W．A．Radford等，“Third  Generation  FPA  Development  Status  at  Raytheon  Vision  Systems”，Infrared  Technology  and  Applications  XXXI，Proc.  of  SPIE，Vol.  5783
【発明の概要】
【０００９】
一実施形態において、材料堆積（例えば、金属めっき）プロセスの較正方法が開示される。基板上のフォトレジスト層内に形成されたプロダクトフィーチャ及び１つ以上の較正ビアの各々の中に、基板全体にわたって略同じ堆積条件を適用して、材料が堆積され得る。較正ビアのうちの少なくとも１つは、プロダクトフィーチャ及び較正ビアの双方の中に実質的に同じように材料が堆積されるときに、プロダクトフィーチャの中の材料の高さが選択高さに到達するのと略同じ堆積時間において該較正ビアの中の材料の高さがフォトレジスト層の高さを超えるような断面寸法を有する。第１の較正ビアの中に堆積された材料の高さがフォトレジスト層の高さを超えたことになるまで、第１の較正ビアの中に堆積された金属の高さがフォトレジスト層の高さを超えたかの決定を行いながら、堆積プロセスが繰り返し続けられる。
【００１０】
一実施形態において、高さの決定は、第１の較正ビア内に堆積されていく材料の高さがフォトレジスト層の厚さを超える点の光学的特定を伴う。これは、（１つ以上の）較正ビアに近接するフォトレジスト層の（１つ以上の）頂面における、（例えば、堆積材料がビアを過充填してすぐ周囲のフォトレジスト表面上に広がるときに堆積材料がキノコ型になることによって引き起こされるような）平らな表面から平らでない表面への変化の及びその上の１つ以上のフィーチャの寸法増大の観察を含み得る。
【００１１】
他の一実施形態において、各々が異なる断面寸法を持つ複数の更なる較正ビアが使用され得る。それらの断面寸法は、それぞれの較正ビアの各々内の堆積材料の高さが、所与の堆積時間において及び実質的に同様の堆積条件下で、プロダクトフィーチャ内に堆積された材料の高さよりも大きくなるように、且つ、それぞれの較正ビアの中に堆積された材料がフォトレジスト層の高さを超える時に、プロダクトフィーチャ内に堆積される金属に関する既知の高さが指し示されるように選定される。
【００１２】
更なる他の一実施形態において、１つ以上のこのような較正ビアを有するテスト構造体が開示される。更なる較正ビアが、光学的に区別可能であるように十分に離間されて、アレイ状又はより容易な検査のためのその他の構成で配列され得る。それらはまた、堆積速度を変化させるフィールド効果を抑制するようにプロダクト領域から十分に離間され得る。開示される較正テスト構造の使用は、有利なことに、堆積プロセスに対する処理条件のインプロセス調節を可能にし、堆積プロセス中にフォトレジストを剥離する必要性を排除する。
【００１３】
一実施形態において、ウエハ研磨（例えば、ＣＭＰ）プロセスのその場較正の方法が開示される。基板のテスト領域に、異なる既知の高さを持つ複数の較正フィーチャが形成され得る。これら既知の高さのうちの少なくとも１つは、堆積される材料層の所望の最終高さと略同じ高さである。テスト領域とは区別される基板のプロダクト領域に、プロダクトフィーチャが形成され得る。次いで、プロダクトフィーチャ及び複数の較正フィーチャの上に、以下のように材料層が堆積され得る。すなわち、材料層の高さが、堆積される材料層の所望の最終高さ及び複数の較正フィーチャの高さよりも大きいように、且つ堆積された材料層を通じて較正フィーチャが視覚的に観察可能であるように、材料層が堆積され得る。そして、材料層のテスト領域およびプロダクト領域に略同じ研磨条件下で繰り返し研磨サイクルが適用されることができ、各研磨サイクルの後に、較正フィーチャのうちの１つ以上のラフ（でこぼこ）からスムース（平ら）への変化の光学的観察を通じて、その高さまで材料層が研磨されたという高さが決定され得る。ラフからスムースへの特定の較正フィーチャの各変化が現れることは、対応する該特定の較正フィーチャの既知の高さまでの材料層の高さの低下を指し示す。決定された材料層の高さが所望の高さまで低下されると研磨プロセスが停止され、また、そのウエハに関して所望の高さが達成されるまで、又は後のウエハ研磨処理のために、光学的観察に応答して研磨プロセスへの調節が為され得る。
【００１４】
異なる既知の高さを持つ複数の較正フィーチャを有するテスト構造体は、基板上のフォトレジスト内に、異なる断面寸法の対応する複数のビアを作製し、そして、上記複数のビアの何れかで過充填を生じさせることになるよりも短い堆積時間だけ、上記複数のビアの中に略同じ堆積条件下で材料を堆積させることによって形成され得る。その後、フォトレジストが剥離され、異なる較正フィーチャの高さが光学的に測定され得る。
【図面の簡単な説明】
【００１５】
実施形態の以上の及びその他の特徴が、以下の、より具体的な、添付の図面に例示されるような典型的な実施形態の説明から明らかになる。図面において、似通った参照番号は概して、同じ要素、機能的に同様の要素、及び／又は構造的に同様の要素を指し示す。
【図１Ａ】３Ｄ積層ウエハを形成するためにダイレクトボンドハイブリダイゼーションを利用する（従来技術の）２枚の接合ウエハのスタックの側断面図である。
【図１Ｂ】図１Ｂ−１Ｄは、（従来技術の）ウエハボンディング領域、研磨前、及び研磨後の側断面図である。
【図１Ｃ】図１Ｂ−１Ｄは、（従来技術の）ウエハボンディング領域、研磨前、及び研磨後の側断面図である。
【図１Ｄ】図１Ｂ−１Ｄは、（従来技術の）ウエハボンディング領域、研磨前、及び研磨後の側断面図である。
【図２】半導体ウエハ研磨プロセスのその場較正のための典型的なシステムの側断面図である。
【図３Ａ】複数の較正めっきビアを有するテスト構造実装に関して較正データを決定するための例示的なプロセスのフロー図である。
【図３Ｂ】めっきに関するその場モニタリングプロセスにおいてテスト構造を使用する例示的なプロセスのフロー図である。
【図４Ａ】図４Ａ−４Ｄは、めっき高さのその場較正のためのプロセス中の４つの連続する時点における例示的なテスト構造の側断面図である。
【図４Ｂ】図４Ａ−４Ｄは、めっき高さのその場較正のためのプロセス中の４つの連続する時点における例示的なテスト構造の側断面図である。
【図４Ｃ】図４Ａ−４Ｄは、めっき高さのその場較正のためのプロセス中の４つの連続する時点における例示的なテスト構造の側断面図である。
【図４Ｄ】図４Ａ−４Ｄは、めっき高さのその場較正のためのプロセス中の４つの連続する時点における例示的なテスト構造の側断面図である。
【図５Ａ】めっきビアに適用される不均一な電界を示す、めっきを受けている基板の側断面図である。
【図５Ｂ】同様にめっきされた同様の寸法のビアにおける、電界バラつきに起因するめっき高さ差の側断面図である。
【図６Ａ】図６Ａ−６Ｄは、モニタリングされるめっきプロセス中の４つの連続した時点における例示的なテスト構造の側断面図であり、狭くて高アスペクト比の較正ビアでの遅めのめっきレートを示している。
【図６Ｂ】図６Ａ−６Ｄは、モニタリングされるめっきプロセス中の４つの連続した時点における例示的なテスト構造の側断面図であり、狭くて高アスペクト比の較正ビアでの遅めのめっきレートを示している。
【図６Ｃ】図６Ａ−６Ｄは、モニタリングされるめっきプロセス中の４つの連続した時点における例示的なテスト構造の側断面図であり、狭くて高アスペクト比の較正ビアでの遅めのめっきレートを示している。
【図６Ｄ】図６Ａ−６Ｄは、モニタリングされるめっきプロセス中の４つの連続した時点における例示的なテスト構造の側断面図であり、狭くて高アスペクト比の較正ビアでの遅めのめっきレートを示している。
【図７】処理のめっき段階後における例示的なテスト構造の側断面図であり、末端効果を示している。
【図８Ａ】図８Ａ−８Ｄは、材料除去を較正するためのその場プロセス中の４つの連続した時点における例示的なテスト構造の側断面図である。
【図８Ｂ】図８Ａ−８Ｄは、材料除去を較正するためのその場プロセス中の４つの連続した時点における例示的なテスト構造の側断面図である。
【図８Ｃ】図８Ａ−８Ｄは、材料除去を較正するためのその場プロセス中の４つの連続した時点における例示的なテスト構造の側断面図である。
【図８Ｄ】図８Ａ−８Ｄは、材料除去を較正するためのその場プロセス中の４つの連続した時点における例示的なテスト構造の側断面図である。
【図９】研磨による材料除去のその場較正のためのプロセスの一実施形態のフロー図である。
【図１０Ａ】図１０Ａ−１０Ｄは、研磨前のでこぼこ及び研磨後の平らさを例示する例示的な較正ポストの顕微鏡写真（上面視）である。
【図１０Ｂ】図１０Ａ−１０Ｄは、研磨前のでこぼこ及び研磨後の平らさを例示する例示的な較正ポストの顕微鏡写真（上面視）である。
【図１０Ｃ】図１０Ａ−１０Ｄは、研磨前のでこぼこ及び研磨後の平らさを例示する例示的な較正ポストの顕微鏡写真（上面視）である。
【図１０Ｄ】図１０Ａ−１０Ｄは、研磨前のでこぼこ及び研磨後の平らさを例示する例示的な較正ポストの顕微鏡写真（上面視）である。
【発明を実施するための形態】
【００１６】
以下の実施形態例の詳細な説明は、添付の図面を参照する。異なる図における同じ参照符号は、同じ又は同様の要素を識別するものであることがある。
【００１７】
以下、例えばＳｉＰＩＮハイブリッドセンサであり得る図１Ａのウエハ２などの３Ｄ積層ウエハの形成に特に有用な実施形態を説明する。これらの実施形態は、テスト構造体と、例えばそれぞれ電気めっきプロセス及び／又は化学機械研磨（ＣＭＰ）プロセスなどの、堆積プロセス及び／又は薄化プロセス中の、ウエハ及びフィーチャ深さの、改善されたｉｎ−ｓｉｔｕ（例えば、同一ウエハ上での）直接フィードバックモニタリングとを含む。これらの実施形態はまた、そのようなプロセスに関してエンドポイントを決定する方法、並びに堆積及び／又は薄化の処理条件のｉｎ−ｓｉｔｕ調節の方法を提供する。これらの金属めっきによる堆積及びＣＭＰ研磨技術による薄化の実施形態例は、本発明の環境を何らかの方法でこのようなプロセスに限定することを意図するものではない。また、本明細書は、用語“チャネル”及び“ビア”を頻繁に且つ交換可能に使用するが、どちらの用語も、テストフィーチャを特定の断面形状に限定することを意味するものではない。
【００１８】
図２は、半導体ウエハ２０に形成されている例えばビア、ポスト、薄膜などのフィーチャ（造形物）のその場厚さ測定のためのシステム２６の一例を示している。システム２６は、プロセスの処理特性を制御する制御システム２８を含んでいる。描かれている特定の処理環境は、ＣＭＰでのウエハ２０の薄化に関するものであるが、ウエハフィーチャ堆積に関する環境も概略的に非常に似たものとなる。このようなプロセスに関連する従来の処理条件（時間、温度、化学的濃度、研磨圧力など）は、当該分野においてかなりよく特徴付けられているが、上述の欠点に悩まされる。制御システム２８は、プロセスに関連する検知された処理条件に基づいて、及び実施形態が可能にするその場直接フィードバック高さ決定に基づいて、プロセスの１つ以上の選択された処理パラメータを調節し得る。
【００１９】
ウエハ２０のフィーチャの高さを、それらが形成されている間に、非破壊的にその場測定するために、光学測定システム３０が、制御システム２８に動作可能に結合されて、ウエハ２０に近接して位置付けられる。測定システム３０は、ウエハフィーチャの高さを測定するように動作可能な任意の既知の技術を実装し得る。例えば、ウエハ２０に形成されたテスト領域３４に置かれた較正フィーチャ３２、３３などの少なくとも１つの既知のフィーチャを観察及び／又は測定するために、光学干渉、偏光解析法、及び／又は散乱技術において、干渉計及び／又は顕微鏡並びに入射光３６が使用され得る。このような測定を用いて、所望のフィーチャ高さを達成するように堆積プロセス及び／又は薄化プロセスを調節し得る。
【００２０】
測定システム３０は、制御システム２８に結合されて、処理中に測定された較正フィーチャ３２、３３の（１つ以上の）高さを指し示す信号を提供し得る。制御システム２８は、メモリ（図示せず）に結合されたプロセッサ（すなわち、ＣＰＵのマイクロプロセッサ、図示せず）を有し得る。制御システム２８は、ウエハ２０のプロダクト領域４２に形成されたプロダクトフィーチャ４０の高さ（例えば、薄膜厚さ、相互接続ポスト高さなど）についての決定を行うために、較正フィーチャ３２、３３に関する高さ信号に既知の相関を適用する。制御システム２８は、処理が期待通りに進んでいるか、及び所望のプロダクトフィーチャ高さを達成するためにどのようなアクション（例えば、もしあれば処理条件の変更）が採られるべきか、を決定するようにプログラムされ及び／又は構成され得る。制御システム２８は、処理システムの物理的コンポーネントである様々な処理条件に関するコントローラ（図示せず）に動作可能に結合される。結果として、システム２６は、材料の堆積及び除去を含むプロセス条件をモニタリングすることを提供する。高さ決定は、それに基づいて制御システム２８が例えば基板全体にわたって均一な厚さなどの所望の厚さを持つプロダクトフィーチャを形成するためのフィードバックプロセスを実装し得るデータを提供する。
【００２１】
当業者が容易に理解することには、他の実装も可能である。例えば、システム２６は、ウエハ２０の光学検査が同じ器具表面上で行われることを例示しているが、ウエハ２０は別の光学検査場所又は位置に移動されてもよい。また、ここに開示されるテスト構造実装の形成は、プロダクトビアの形成又は研磨と同時に行われる必要はない。
【００２２】
図４Ｂ−４Ｄを参照するに、特定の実施形態は、例えばめっきプロセスなどの材料堆積プロセスをモニタする及び／又はそのエンドポイントを決定することにおいて使用されるテスト構造４４を提供する。テスト構造４４は、例えば較正チャネル（又はビア）４６−１乃至４６−ｎなどの、プロダクトチャネル（又はビア）４８などのプロダクトフィーチャよりも速いレートで、そしてまた互いに異なるレートで、めっきされることになる１つ以上の、しかし好ましくは複数の、様々なサイズの較正フィーチャを含む。較正ビア４６−１乃至４６−ｎ及びプロダクトビア４８は、シードメタル層５２と例えばＲＯＩＣウエハなどのデジタル及び／又はアナログ集積回路ウエハ５４とからなる基板の上のフォトレジスト層５０内に形成される。
【００２３】
較正ビア４６−１乃至４６−ｎは、図４Ｂ−４Ｄに示すように、光学測定システム３０（又は他の光学測定ツール）で光学的に区別可能であるように互いに十分離れた距離Ｓだけ離間されて、フォトレジスト層５０内に形成され得る。さらに、較正ビア４６−１乃至４６−ｎは、秩序だった光学検査のために、例えばアレイなどの既知の構成にて配列され得る。
【００２４】
較正ビア４６−１乃至４６−ｎは各々、例示目的で幅ｗｃ１乃至ｗｃｎと表記される対応する断面寸法を有する。各々の幅、例えばｗｃ１は、その中で異なるめっきレートをとるように、他の較正ビア４６−２乃至４６−ｎの断面寸法ｗｃ２乃至ｗｃｎとは異なる。特定の実施形態において、較正ビアのうちの最大のビア４６−ｎは、プロダクトビア４８の幅ｗｐより大きくない幅ｗｃｎを有する。より小さい直径のビアは一般に、略同じ堆積条件下で、より大きい直径のビアよりも速いレートでめっきされるので、較正ビア４６−１乃至４６−ｎの各々は、プロダクトビア４８よりも速いレートでめっきされることになり、プロダクトフィーチャめっきの完了、すなわち、プロダクトビア４８が図４Ｄに示す所望の高さＨまでめっきされたという決定、に先立っての、及び略その時点での、めっき進捗を指し示すインジケーションを提供する。
【００２５】
図４Ｂ−４Ｄは、時点ｔ１からｔ３にわたってモニタリングされためっきプロセスを例示している。めっきプロセスが進むにつれて、速めにめっきされるフィーチャ、すなわち、較正ビア４６−１乃至４６−ｎが順次にオーバーめっきされることになる。すなわち、めっき材料（例えば、ニッケル）が、較正ビア４６−１乃至４６−ｎのそれぞれの頂部まで順次にめっきされて、例えば、図４Ｃにおいて較正ビア４６−１及び４６−２で起こっているように示され、次いで図４Ｄにおいて較正ビア４６−ｎで起こっているように支援されるように、僅かにキノコ型になる。キノコ形状は、フォトレジスト層５０の頂面５５の上まで僅かに広がるので、そのそれぞれの較正ビア幅よりも横方向寸法において大きい“ヘッド”部分５６を含む。各キノコヘッド５６は、光学測定システム３０（又は他の光学検査ツール）によって、スムースさ（平らさ）の喪失として、並びに、横方向寸法及び／又はフォトレジスト表面より上のフィーチャの高さにおける測定可能な変化として検出され得る。較正ビア４６−１乃至４６−ｎの間の離隔距離Ｓは、オーバーめっきされたキノコヘッド５６が光学的に区別可能なままであるようにされる。
【００２６】
例えば図４Ｃにおけるビア４６−２といった較正ビアのオーバーめっきの検出は、対応するめっき高さｈｃ２（フォトレジスト厚さＴに等しい）が達成されたことを指し示す。以前の実験（すなわち、図３Ａに例示するプロセス３００）が、較正ビア４６−２におけるめっき高さｈｃ２の達成を、プロダクトビア４８における特定のプロダクトめっき高さｈｐ３に対して較正するデータを確立する。図４Ｄにおいて、較正ビア４６−ｎがオーバーめっきされたことが見て取れ、それがプロダクトビア４８における所望のめっき高さＨの達成に対応することが分かっている。言及しておく価値があることには、めっきプロセスのエンドポイントを決定するために実際に必要なのは、そのオーバーめっきがプロダクトビア４８における所望のめっき高さＨに対応する１つの較正ビア４６−ｎのみであるが、プロダクトビア４８のめっきレートよりも速い異なるめっきレートを持つ複数の較正ビア４６は、より高いモニタリング分解能と、めっき処理条件に対するインプロセス調節を行う能力とを提供することになる。
【００２７】
図３Ａを参照するに、ビア４６−１乃至４６−ｎのオーバーめっき高さｈｃ１乃至ｈｃｎとプロダクトビア４８におけるめっき高さｈｐ１乃至ｈｐｎとの間の較正データを確立するための実験的プロセス３００は、基板（例えばＲＯＩＣウエハの表面など）が用意されるステップ３０５で開始する。ステップ３１０にて、例えばプロダクトビア４８などの意図されるプロダクトビアと、ｎ個の較正ビア４６−１乃至４６−ｎとが、厚さＴのフォトレジスト層５０内に形成され得る。ステップ３１５が、非実験的めっき処理において経験されることになるように較正ビア４６−１乃至４６−ｎ及びプロダクトビア４８に対して略同じめっきプロセス処理条件として、繰り返しめっきプロセスを開始する。各めっきサイクルの後、ステップ３２０にて、光学検査が、較正ビアの何れかがオーバーめっき（すなわち、キノコ型になって、高さＴをめっきしたことを指し示す）されたかを決定する。較正ビア４６のうちの１つがキノコ型になる都度、ステップ３２５にて、プロダクトビアめっき高さｈｐが記録される。ステップ３３０にて、この相関データが記録され、そして、全ての較正ビア４６−１乃至４６−ｎに対してプロダクトビアめっき高さｈｐ１乃至ｈｐｎを相関付ける較正データの組が得られるまで、このプロセスが繰り返される。
【００２８】
図３Ｂを参照するに、材料の堆積（例えば、めっき）を所望の高さに較正するプロセス３５０は、ステップ３５５にて、プロセス３００から得られたようなめっき高さ較正データの組を取得することで開始する。ステップ３６０にて、例えばテスト構造４４などのめっき用の構造が用意される。ステップ３６５にて、例えばプロダクトビア４８などのプロダクトフィーチャ及び１つ以上の較正ビア４６−１乃至４６−ｎが、それぞれ、プロダクト領域４２及び較正領域３４内で、フォトレジスト層５０内に形成される。ステップ３７０にて、繰り返しめっきサイクルが、プロダクトビア４８及び較正ビア４６−１乃至４６−ｎに同時に略同じめっき条件を提供し始める。各めっきサイクルの後、ステップ３７５にて、較正ビア４６−１乃至４６−ｎがオーバーめっきについて光学的に検査され、ステップ３８０にて、較正ビア４６−ｎの高さｈｐｎが、プロダクトビア高さＴ以上であるかの決定が（例えば、制御システム２８によって）行われる。プロダクトビア４８における所望のプロダクトめっき高さに相関することが以前に決定された較正ビア４６−ｎが達成されていない場合、別のプロダクトめっきサイクル（ステップ３７０が再び）実行され、オプションでステップ３８５にて、めっきプロセスの処理条件が調節され得る。較正ビア４６−ｎがオーバーめっきされると、めっきプロセスが停止される。
【００２９】
めっきテスト構造４４を設計するとき、幾つかの更なる要因が考慮に入れられてもよい。先ず、ビア５１−１が他のビア５１−２乃至５１−ｎ及び４９に対して近接していることによって生じる電気及び／又は化学めっき場（フィールド）のバラつき（例えば、少なくとも部分的に、図５Ａに示すようなフィールド効果に起因する）が、何れか特定のビアのめっきレートに影響を及ぼし得ることが知られている。図５Ｂは、同様の寸法のビアにおいて観察される、そのようなフィールドバラつきに起因して生じるめっき高さの差異を例示している。較正ビア５１−１乃至５１−ｎは、この現象に起因するめっきレート効果を低減又は増大させるように適切な間隔で思慮深く配置されてもよい。また、図６Ａ−６Ｄに示すように、一般に、小さめの寸法のビアは大きめのビアよりも速いレートでめっきされることが当てはまるが、例えば較正ビア６１−１及び６１−２などの狭くて高アスペクト比のビアは、例えば較正ビア６１−ｎ又はプロダクトビア６３と比較して、めっき反応物の拡散を阻止することがあることも知られている。故に、そのような寸法的特徴を持つビアは、実際には、例えば、高アスペクト比のビア６１−１が低めのアスペクト比のビア６１−２乃至６１−ｎ及びプロダクトビア６３よりも遅くめっきされている図６Ｂ−６Ｄなどに示すように、より大きいビアよりも遅いレートでめっきされ得る。別の設計考慮に係るテスト構造４４が図７に例示されており、そこでは、めっき電流が、テスト構造アレイ４４内の端部のビア６０、６２に、（１つ以上の）中央ビア６４よりも、容易に到達し得ることが観察されている（“末端効果”として参照される）。例えば、中央ビア６４を取り囲む端部ビア６０、６２は、中央ビア６４へのめっき電流を減少させて、短くなっためっき高さを生じさせ得る。これらの要因の各々を戦略的に採用することで、めっき条件に対していっそう敏感な較正ビアテスト構造を設計し得る。設計が固まると、上述のように、較正データが実験的に集められる。
【００３０】
この堆積較正方法の１つの重要な利益は、視覚的検査及び関連するプロダクト高さの決定が、フォトレジストを剥がす必要なく行われることである。めっき工程後に所望のプロダクトビア高さに到達していない場合、所望のプロダクト高さが達成されるまで再加工するためにウエハをめっき溶液に戻し得る。
【００３１】
図８Ａ−８Ｄは、例えばＣＭＰプロセスなどの半導体ウエハ薄化プロセスを較正するのに特に有用なその場テスト構造６６及び方法の一実施形態を例示している。ＣＭＰ処理は、例えばプロダクトポスト７０（例えば、Ｎｉ）などのプロダクトフィーチャが露わにされるまで、例えばＳｉＯ２などの絶縁材料を有し得るものである堆積層６８及びその中に埋め込まれたフィーチャから材料を除去して平坦化することを含む。適切なボンディングを可能にするウエハ構造を生み出すために、可能な限り正確に、プロダクトポスト７０が露わにされた時点でＣＭＰプロセスを停止させることが望ましい。先述のように、従来のＣＭＰプロセス制御は、堆積層６８及びプロダクトポスト７０の所望の最終高さＨを狙うために、時限ＣＭＰレートを採用している。時限プロセスは、下の集積回路層７２（例えば、ＲＯＩＣウエハ層）からの光学干渉のため、実際の高さを検証する術を提供しない。
【００３２】
テスト構造６６は、堆積層６８の較正領域７４に形成され、且つ、例えば較正ポスト７６−１乃至７６−ｎなどの、少なくとも１つの、しかし好ましくは複数の離間された様々な高さの、較正フィーチャによって画成される。プロダクトポスト７０は、較正領域７４とは異なる堆積層６８のプロダクト領域７８に形成される。較正ポスト７６−１乃至７６−ｎは各々、対応する互いに異なる高さｈｃ１乃至ｈｃｎを有し、これらの較正ポスト高さのうちの１つ（例えば、ｈｃｎ）が、堆積層及びその中に埋め込まれたフィーチャについての所望の研磨後高さＨと略同じである。様々な高さｈｃ１乃至ｈｃｎは、（図８Ａに示すように）様々な断面幅ｗｃ１乃至ｗｃｎの複数のビアをフォトレジスト層内でめっきすることを通じて較正ポストを形成することによって達成され得る。上述のように、小さめの断面寸法を持つビアは典型的に、同じめっき条件下で、大きめの断面寸法を持つビアよりも速いレートでめっきされる。較正ポストビアを形成した後に、形成されるポストのうちの１つ（例えば、ポスト７６−ｎ）に所望の最終高さＨと略同じ高さを持たせると期待される期間だけ、めっき処理が実行される。較正ポスト形成プロセスはまた、フィーチャを目立たせるためにデプリーション技術を利用してもよい。様々な高さの較正ポスト７６−１乃至７６−ｎは、好ましくは、光学測定システム３０（又は、例えばＷｙｋｏ社の３Ｄ干渉計などのその他の光学検査ツール）で光学的に区別可能であるように、互いに十分に離間されることができ、また、それらは、順次の研磨処理後にそれらそれぞれが研磨面８０で露わになることが予測可能な進行で起こるように、例えばアレイなどの既知のパターンで構成され得る。
【００３３】
様々な高さの較正ポスト７６−１乃至７６−ｎがフォトレジスト層内に形成された後、フォトレジストが剥離され、較正ポストのそれぞれの高さｈｃ１乃至ｈｃｎが測定され得る。光学測定システム３０がこの測定を行ってもよく、測定された高さｈｃ１乃至ｈｃｎは、較正ポスト７６−１乃至７６−ｎにマッピングされて制御システム２８によって記憶される。
【００３４】
図９を追加で参照して、以下、研磨されたウエハ層の高さの低下をその場較正する方法９００の一実施形態を説明する。ステップ９０５にて、例えば集積回路７２の表面などの基板が用意され、該基板の上には、対応する既知の高さｈｃ１乃至ｈｃｎを持つ１つ以上の較正ポスト７６−１乃至７６−ｎで構成されたテスト構造６６が形成されている。較正ポストのうちの少なくとも１つ（例えば、ポスト７６−ｎ）の高さは、プロダクト領域内で基板上に例えばプロダクトポスト７０などのプロダクトフィーチャが形成（ステップ９１０）された後に、ステップ９１５で堆積される堆積層６８の所望の最終高さＨと略同じ高さである。堆積層６８は、プロダクトポスト７０を及び較正ポスト７６−１乃至７６−ｎの全てを完全に被覆し得るが、較正ポストは、（図８Ａ−８Ｄに示す）ラフ（でこぼこ）表面領域Ｓｃ１乃至Ｓｃｎとして現れて、それらのマッピングされた位置で測定システム３０（又は他の光学検査ツール）によって視覚的に観察可能であり得る。
【００３５】
ステップ９２０及び９２５にて、繰り返し研磨（例えば、ＣＭＰ）及び較正ポスト高さ視覚検査プロセスが実行される。図８Ａ−８Ｄは、４つの異なる時点ｔ１乃至ｔ４における、順次の研磨処理の、材料層６８、較正ポスト７６−１乃至７６−ｎ、及びプロダクトポスト７０への影響を例示している。ＣＭＰが進むときに、オペレータが較正ポスト表面領域Ｓｃ１乃至Ｓｃｎを視覚的に観察し得る。ポストが研磨面８０で露わになるとき、それらはスムース（平ら）になる。特定の較正ポスト表面（例えば、Ｓｃｎ）がきれいになること、すなわち、スムースにされた外観は、その較正ポストの既知の高さｈｃｎの達成を指し示し、この高さはまた、堆積層６８（及び、同様に又は以前に研磨面８０にて露わになっている場合に、プロダクトポスト７０）に残っている現在高さ（又は厚さ）でもある。ステップ９３０にて、現在観察されている較正ポスト高さｈｃｎに基づいて、堆積層及び埋め込みフィーチャの所望高さＨが達成されたかの決定が行われる。達成されていない場合、所望の高さＨ又は厚さが達成されるまで、必要に応じての研磨処理条件への調節（ステップ９３５）ありで又はなしで、ＣＭＰ処理が続行される。
【００３６】
図１０Ａ−１０Ｄは、例示的な較正ポスト７６の表面Ｓｃ１乃至Ｓｃｎのラフとスムースとの間の違いを例証する顕微鏡写真である。図１０Ａ及び１０Ｂは、（図８Ａにおいてのように）絶縁層表面８０を取り除いていない較正ポストの上から撮影した写真を示している。埋め込まれたポストは観察可能であるが、ポストはまだ研磨にかけられていないので、それらそれぞれの頂面Ｓｃ１乃至Ｓｃｎはラフに見える。それに代えて、図１０Ｃ及び１０Ｄは、（例えば、図８Ｄに例示したように）ＣＭＰパッドが較正ポストの露出した頂面を研磨することの、観察可能なスムース化効果を示している。
【００３７】
これらの実施形態の１つの重要な利点は、ポストの光学的試験が、各ＣＭＰサイクルの直後に、不可逆的なオーバー研磨が起こってしまう前に、その場実行され得ることである。
【００３８】
様々な特定の実施形態及び例示的な特徴が記述されたが、認識されることには、本発明は、添付の請求項による場合を除き、斯くは限定されず、変形、変更、及び他の実施形態が企図され、広く解釈されるべきである。ここに使用される如何なる要素、動作、又は命令も、そのように明示的に記載されていない限り、非常に重要又は必須であると解釈されるべきでない。また、ここで使用されるとき、冠詞“ａ”及び“ａｎ”は、１つ以上のアイテムを含むことを意図しており、“１つ以上”と交換可能に使用されることがある。また、ここで使用されるとき、用語“有する”又はこれに類するものは、オープンエンドな用語であることを意図している。さらに、“に基づく”なるフレーズは、明示的に別段の断りがない限り、“少なくとも部分的に基づいて”を意味することを意図している。
【図１Ａ】
2019512163.tif 000003
【図１Ｂ】
2019512163.tif 000004
【図１Ｃ】
2019512163.tif 000005
【図１Ｄ】
2019512163.tif 000006
【図２】
2019512163.tif 000007
【図３Ａ】
2019512163.tif 000008
【図３Ｂ】
2019512163.tif 000009
【図４Ａ】
2019512163.tif 000010
【図４Ｂ】
2019512163.tif 000011
【図４Ｃ】
2019512163.tif 000012
【図４Ｄ】
2019512163.tif 000013
【図５Ａ】
2019512163.tif 000014
【図５Ｂ】
2019512163.tif 000015
【図６Ａ】
2019512163.tif 000016
【図６Ｂ】
2019512163.tif 000017
【図６Ｃ】
2019512163.tif 000018
【図６Ｄ】
2019512163.tif 000019
【図７】
2019512163.tif 000020
【図８Ａ】
2019512163.tif 000021
【図８Ｂ】
2019512163.tif 000022
【図８Ｃ】
2019512163.tif 000023
【図８Ｄ】
2019512163.tif 000024
【図９】
2019512163.tif 000025
【図１０Ａ】
2019512163.tif 000026
【図１０Ｂ】
2019512163.tif 000027
【図１０Ｃ】
2019512163.tif 000028
【図１０Ｄ】
2019512163.tif 000029
【国際調査報告】
2019512163.tif 000030
2019512163.tif 000031
2019512163.tif 000032